(57)【特許請求の範囲】
【請求項１】
後処理装置を含む印刷システムを制御する印刷制御装置であって、
シートを給送し、当該給送されたシートに対する印刷を行い、当該印刷が行われたシートに対する後処理を前記後処理装置に実行させる第１の処理モード、または、シートを給送し、当該給送されたシートに対する印刷を行うことなく、当該給送されたシートに対する後処理を前記後処理装置に実行させる第２の処理モードを選択する選択手段と、
前記第２の処理モードが選択された後に、１部あたりのシート枚数の指定と、部数の指定とをユーザから受け付ける受付手段と、
前記第２の処理モードが選択された場合であって、且つ、前記受付手段が前記部数の指定を受け付けていない場合には、処理対象となるシートの給送元にセットされた全てのシートを給送し、後処理を実行するように前記後処理装置を制御し、前記第２の処理モードが選択された場合であって、且つ、前記受付手段が前記部数の指定を受け付けた場合には、前記指定されたシート枚数及び部数に基づいて後処理を実行するように前記後処理装置を制御する制御手段と、
を備えることを特徴とする印刷制御装置。
【請求項２】
前記受付手段は、シート枚数の指定をユーザから受け付けるための操作画面を表示部に表示させることを特徴とする請求項１に記載の印刷制御装置。
【請求項３】
前記受付手段は、前記第１の処理モードが選択された後には、前記操作画面を前記表示部に表示させないことを特徴とする請求項２に記載の印刷制御装置。
【請求項４】
前記後処理装置によって実行される後処理は、シートを綴じる綴じ処理であり、
前記第２の処理モードが選択された場合に、前記制御手段は、前記指定されたシート枚数分のシート毎に綴じ処理を実行するように前記後処理装置を制御する
ことを特徴とする請求項１乃至３のいずれか１項に記載の印刷制御装置。
【請求項５】
前記第２の処理モードが選択された場合であって、且つ、前記受付手段が前記シート枚数の指定を受け付けていない場合に、前記制御手段は、処理対象となるシートの給送元にセットされた全てのシートを給送し、後処理を実行するように前記後処理装置を制御することを特徴とする請求項１乃至４のいずれか１項に記載の印刷制御装置。
【請求項６】
後処理装置を含む印刷システムにおける印刷制御方法であって、
シートを給送し、当該給送されたシートに対する印刷を行い、当該印刷が行われたシートに対する後処理を前記後処理装置に実行させる第１の処理モード、または、シートを給送し、当該給送されたシートに対する印刷を行うことなく、当該給送されたシートに対する後処理を前記後処理装置に実行させる第２の処理モードを選択する選択工程と、
前記第２の処理モードが選択された後に、１部あたりのシート枚数の指定と、部数の指定とをユーザから受け付ける受付工程と、
前記第２の処理モードが選択された場合であって、且つ、前記受付工程で前記部数の指定を受け付けていない場合には、処理対象となるシートの給送元にセットされた全てのシートを給送し、後処理を実行するように前記後処理装置を制御し、前記第２の処理モードが選択された場合であって、且つ、前記受付工程で前記部数の指定を受け付けた場合には、前記指定されたシート枚数及び部数に基づいて後処理を実行するように前記後処理装置を制御する制御工程と、
を備えることを特徴とする印刷制御方法。
【請求項７】
コンピュータを請求項１乃至５のいずれか１項に記載の印刷制御装置の各手段として機能させるためのプログラム。
【発明の詳細な説明】
【技術分野】
【０００１】
本発明は、印刷制御装置、印刷制御方法、及びプログラムに関するものである。
【背景技術】
【０００２】
従来、電子写真方式やインクジェット方式の印刷装置を利用したＰＯＤ（Ｐｒｉｎｔ  Ｏｎ  Ｄｅｍａｎｄ）印刷システムが提案されている（特許文献１参照）。このような印刷システムにより、版下作成やその他の複雑な作業が不要になる。このような印刷システムを用いれば、印刷装置で印刷されたシートを、印刷装置に接続された後処理装置によって後処理を行って出力可能となる。
【先行技術文献】
【特許文献】
【０００３】
【特許文献１】米国特許公開公報第２００４−０１９００５７号
【発明の概要】
【発明が解決しようとする課題】
【０００４】
しかしながら、従来の印刷システムでは、印刷装置に接続された後処理装置が、後処理を実行する機能を有しているにも関わらず、印刷装置を通さなければ、後処理を実行することができなかった。そのため、他のシステム或いは他の印刷装置で印刷された印刷済みのシートを用いて後処理装置に後処理を実行させることができなかった。
【０００５】
そこで、本発明では、印刷が行われたシートに対する後処理を実行することが可能な後処理装置において、シートに対する印刷を行うことなく後処理を実行する場合に、１部あたりのシート枚数を考慮した後処理が実行できるようにする仕組みを提供することを目的とする。
【課題を解決するための手段】
【０００６】
上記課題を解決するため、本発明に係る印刷制御装置は、後処理装置を含む印刷システムを制御する印刷制御装置であって、シートを給送し、当該給送されたシートに対する印刷を行い、当該印刷が行われたシートに対する後処理を前記後処理装置に実行させる第１の処理モード、または、シートを給送し、当該給送されたシートに対する印刷を行うことなく、当該給送されたシートに対する後処理を前記後処理装置に実行させる第２の処理モードを選択する選択手段と、前記第２の処理モードが選択された後に、１部あたりのシート枚数の指定と、部数の指定とをユーザから受け付ける受付手段と、前記第２の処理モードが選択された場合であって、且つ、前記受付手段が前記部数の指定を受け付けていない場合には、処理対象となるシートの給送元にセットされた全てのシートを給送し、後処理を実行するように前記後処理装置を制御し、前記第２の処理モードが選択された場合であって、且つ、前記受付手段が前記部数の指定を受け付けた場合には、前記指定されたシート枚数及び部数に基づいて後処理を実行するように前記後処理装置を制御する制御手段と、を備えることを特徴とする。
【発明の効果】
【０００７】
本発明によれば、印刷が行われたシートに対する後処理を実行することが可能な後処理装置において、シートに対する印刷を行うことなく後処理を実行する場合に、１部あたりのシート枚数を考慮した後処理が実行できるようにすることができる。
【図面の簡単な説明】
【０００８】
【図１】システム１００００の全体構成を示す図。
【図２】印刷システム１０００の構成を示すブロック図。
【図３】印刷システム１０００の構成を示す図。
【図４】印刷システム１０００の構成を示す図。
【図５】操作部の構成及びＵＩを示す概略図。
【図６】第１の実施形態に係る後処理の全体的な処理手順を示すフローチャート。
【図７】インライン処理（Ｓ１００３）の詳細な処理手順を示すフローチャート。
【図８】オフライン処理（Ｓ１００４）の詳細な処理手順を示すフローチャート。
【図９】ＵＩを示す概略図。
【図１０】ＵＩを示す概略図。
【図１１】ＵＩを示す概略図。
【図１２】ＵＩを示す概略図。
【図１３】ＵＩを示す概略図。
【図１４】ＵＩを示す概略図。
【図１５】第２の実施形態に係る後処理の全体的な処理手順を示すフローチャート。
【図１６】使い切りモード（Ｓ２５０３）の詳細な処理手順を示すフローチャート。
【図１７】枚数指定モード（Ｓ２５０４）の詳細な処理手順を示すフローチャート。
【図１８】ＵＩを示す概略図。
【図１９】ＵＩを示す概略図。
【図２０】第３の実施形態に係る後処理の全体的な処理手順を示すフローチャート。
【図２１】ＵＩを示す概略図。
【図２２】第４の実施形態に係る後処理の全体的な処理手順を示すフローチャート。
【図２３】ＵＩを示す概略図。
【図２４】第５の実施形態に係る後処理の全体的な処理手順を示すフローチャート。
【図２５】ＵＩを示す概略図。
【図２６】第６の実施形態に係る後処理の全体的な処理手順を示すフローチャート。
【図２７】ＵＩを示す概略図。
【図２８】第７の実施形態に係る後処理の全体的な処理手順を示すフローチャート。
【図２９】ＵＩを示す概略図。
【図３０】第８の実施形態に係る後処理の全体的な処理手順を示すフローチャート。
【図３１】ＵＩを示す概略図。
【発明を実施するための形態】
【０００９】
以下、図面を参照して本発明の実施形態を詳細に説明する。なお、以下の実施形態は特許請求の範囲を限定するものでなく、また、実施形態で説明される特徴の組み合わせの全てが発明の解決手段に必須のものとは限らない。
【００１０】
＜システム構成＞
図１は、本発明の印刷システムを含むＰＯＤシステムの構成を示す図である。図１のＰＯＤシステムには、印刷システム１０００、印刷システム１００１、スキャナ１０２、サーバコンピュータ（ＰＣ）１０３、クライアントコンピュータ（ＰＣ）１０４が含まれる。また、ＰＯＤシステムは、紙折り機１０７、くるみ製本機１０８、断裁機１０９、及び中綴じ製本機１１０を有する。ＰＯＤシステムが有する複数の装置のうち、中綴じ製本機１１０以外の装置は、ネットワーク１０１に接続されており、互いに他の装置とデータ通信が可能となっている。
【００１１】
図２は、本実施形態に係る印刷システム１０００の構成を示すブロック図である。印刷システム１０００は、印刷装置１００と後処理装置２００とを有する。なお、本実施形態では、印刷装置１００として、コピー機能及びプリンタ機能等の複数の機能を有する多機能処理装置（ＭＦＰ：Ｍｕｌｔｉ  Ｆｕｎｃｔｉｏｎ  Ｐｅｒｉｐｈｅｒａｌ）を例にとって説明する。しかしながら、この印刷装置１００は、コピー機能のみ、或いは、プリンタ機能のみを有する単一機能型の印刷装置（プリンタ）であっても良い。なお、ここで印刷システム１０００に含まれる各ユニットのうち、後処理装置２００以外のユニットは印刷装置１００に含まれる。また、印刷装置１００には、任意の台数の後処理装置２００を接続することができる。
【００１２】
印刷システム１０００は、印刷装置１００で印刷されたシートの後処理を、後処理装置２００により実行させることができるように構成されている。後処理装置２００は、印刷装置１００と通信可能に構成され、印刷装置１００からの指示を受け、後述するような各種の後処理（シート処理、フィニッシングとも呼ぶ）を実行することができる。
【００１３】
印刷装置１００は、スキャナ部２０１、外部Ｉ／Ｆ２０２、プリンタ２０３、操作部２０４、制御部２０５、ＲＯＭ２０７、ＲＡＭ２０８、ＨＤＤ２０９、圧縮伸張部２１０を備える。それらは、互いにバス等の通信路を介してコマンドやデータの送受信を行うことができる。
【００１４】
スキャナ部２０１は、原稿上の画像を読み取り、これを画像データに変換し、他のユニットに転送する。外部Ｉ／Ｆ２０２は、ネットワーク１０１に接続された他の装置との間でデータの送受信を行う。プリンタ２０３は、入力された画像データに基づく画像をシート上に印刷する。
【００１５】
操作部２０４は、図５（ａ）で示すように、後述するハードキー入力部（キー入力部）４００２や、タッチパネル部（表示手段）４００１を有し、それらを介してユーザからの指示（ユーザ操作）を受け付ける。また、操作部２０４は、タッチパネル部４００１に各種表示を行う。
【００１６】
制御部２０５は、ＣＰＵ２０５ａを有し、印刷システム１０００が有する各種ユニットの処理や動作等を統括的に制御する。例えば、ＣＰＵ２０５ａは、印刷システム１０００が備える印刷装置１００、後処理装置２００の動作を制御する。
【００１７】
ＲＯＭ２０７は、制御部２０５によって実行される各種コンピュータプログラムを記憶する。例えば、ＲＯＭ２０７は、後述するフローチャートの各種処理を制御部２０５に実行させるためのプログラムや、後述する各種設定画面を表示するために必要な表示制御プログラムを記憶する。また、ＲＯＭ２０７は、サーバＰＣ１０３やクライアントＰＣ１０４等から受信したＰＤＬ（ページ記述言語）コードデータを制御部２０５が解釈し、ラスタイメージデータに展開する動作を実行するためのプログラムを記憶する。他にもＲＯＭ２０７は、ブートシーケンスやフォント情報等を記憶する。
【００１８】
ＲＡＭ２０８は、制御部２０５の作業領域として用いられる。例えば、ＲＯＭ２０８は、スキャナ部２０１や外部Ｉ／Ｆ２０２から送られてきた画像データや、ＲＯＭ２０７からロードされた各種プログラムや設定情報を記憶する。また、ＲＡＭ２０８は、後処理装置２００に関する各種の情報（印刷装置１００に接続された後処理装置２００の台数、各後処理装置２００の機能に関する情報、各後処理装置２００の接続順序等の管理情報）を記憶する。なお、このＲＡＭ２０８へのデータの書き込みや、ＲＡＭ２０８からのデータの読み出しは、制御部２０５によって行われる。
【００１９】
ＨＤＤ（ハードディスクドライブ）２０９は、ハードディスクとハードディスクへのデータの読み書きを行う駆動部等で構成される。ＨＤＤ２０９は、例えば、スキャナ部２０１や外部Ｉ／Ｆ２０２から入力された画像データや、制御部２０５によって実行される各種プログラムを記憶する。
【００２０】
制御部２０５は、ユーザからの指示に基づいて、ＨＤＤ２０９に格納された画像データをプリンタ２０３によって印刷させるよう制御する。また、制御部２０５は、ユーザからの指示に基づいて、ＨＤＤ２０９に格納された画像データを、外部Ｉ／Ｆ２０２を介してサーバＰＣ１０３等の外部装置へ送信するよう制御する。圧縮伸張部２１０は、ＪＢＩＧやＪＰＥＧ等といった各種圧縮方式によってＲＡＭ２０８、ＨＤＤ２０９に記憶されている画像データ等の圧縮・伸張動作を行う。
【００２１】
なお、本実施形態で、後処理装置２００は、印刷装置１００によって印刷されたシートに後処理を施すのに適用されるだけではない。例えば、他の印刷システム１００１で印刷されたシートにも後処理を施すことができる。
【００２２】
図３（ａ）は、印刷装置１００、及び印刷装置１００に接続された後処理装置２００の断面図である。自動原稿搬送装置（ＡＤＦ）３３０は、原稿トレイの積載面にセットされた原稿束を１頁目の原稿から、ページ順に、順番に分離して、スキャナ３０２によって原稿走査するために原稿台ガラス上へ搬送する。スキャナ３０２は、原稿台ガラス上に搬送された原稿の画像を読み取り、ＣＣＤによって画像データに変換する。回転多面鏡（ポリゴンミラー等）３０３は、画像データに応じて変調された、例えばレーザ光などの光線を入射させ、反射ミラーを介して反射走査光として感光ドラム３０４に照射する。感光ドラム３０４上にレーザ光によって形成された潜像はトナーによって現像され、転写ドラム３０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。定着器３０８は、ローラやベルトの組合せによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シートは真直ぐに搬送され、排紙ローラ３１０によって機外へ排出される。制御部２０５は、以上のような一連のシーケンスによって、片面印刷を実行するように印刷装置１００を制御する。
【００２３】
一方、シートの両面に画像を形成する場合には、排紙フラッパ３０９が図中反時計回りの方向に揺動し、シートは下方向に進路を変更され両面搬送部へと送り込まれる。両面搬送部は、反転フラッパ３１１、反転ローラ３１２、反転ガイド３１３および両面トレイ３１４を備える。反転フラッパ３１１は、揺動軸を中心に揺動し、シートの搬送方向を規定する。制御部２０５は、両面印刷ジョブを処理する場合、プリンタ部２０３でシートの第１面にプリント済みのシートを、反転フラッパ３１１を図中反時計回りの方向に揺動し、反転ローラ３１２を介して、反転ガイド３１３へと送り込むよう制御する。そして、シートの後端が反転ローラ３１２に挟持された状態で反転ローラ３１２を一旦停止させ、引き続き反転フラッパ３１１が図中時計回りの方向に揺動させる。且つ、反転ローラ３１２を逆方向に回転させる。これにより、シートスイッチバックして搬送させ、シートの後端と先端が入れ替わった状態で、このシートを両面トレイ３１４へと導くよう制御する。両面トレイ３１４ではシートを一旦積載し、その後、再給紙ローラ３１５によってシートは再びレジストローラ３１６へと送り込まれる。このときシートは、１面目の転写工程とは反対の面が感光ドラムと対向する側になって送られてきている。そして、先述したプロセスと同様にしてシートの第２面に対して２面目の画像を形成させる。そして、シートの両面に画像が形成され、定着工程を経て排紙ローラ３１０を介して印刷装置１００本体内部から機外へとシートを排出させる。制御部２０５は、以上のような一連のシーケンスによって、両面印刷を実行するように印刷装置１００を制御する。
【００２４】
また、印刷装置１００は、印刷処理に要するシートを収納する給紙部を有する。給紙部には、給紙カセット３１７、３１８（例えば、それぞれ５００枚のシートを収容可能）、給紙デッキ３１９（例えば、５０００枚のシートを収納可能）、手差しトレイ３２０等がある。給紙カセット３１７、３１８、給紙デッキ３１９は、サイズや材質の異なる各種シートを、給紙部ごとに区別してセットできる。また、手差しトレイ３２０には、ＯＨＰシート等の特殊なシートを含む各種シートをセットすることができる。給紙カセット３１７、３１８、給紙デッキ３１９、手差しトレイ３２０には、それぞれに給紙ローラが設けられており、給紙ローラによってシートは１枚単位で連続的に給送される。
【００２５】
次に、図３（ａ）に示す後処理装置２００について説明する。本実施形態の印刷システム１０００における後処理装置２００は、上流の装置から下流の装置にシート搬送路を介してシートを搬送できることを条件に、任意の種類の装置を任意の台数だけ連結することができる。例えば、図３（ａ）に示すように、印刷装置１００に近い順に、大容量スタッカ２００−３ａ、インサータ２００−３ｄ、糊付け製本機２００−３ｂ、中綴じ製本機２００−３ｃの順序で連結し、これらを印刷システム１０００でそれぞれ選択的に利用することができる。また、後処理装置２００のそれぞれがシート排出部を備え、ユーザは、シート処理がなされたシートを、それぞれの後処理装置のシート排出部から取り出すことができる。
【００２６】
次に、図３（ｂ）、図３（ｃ）、図４（ａ）及び図４（ｂ）を用いて、各後処理装置の構成について説明する。図３（ｂ）は、大容量スタッカ２００−３ａの構成を示す拡大断面図である。大容量スタッカ２００−３ａは、シートの搬送路として、エスケープパスと、ストレートパス、スタックパスを備える。また、大容量スタッカ２００−３ａは、大容量スタッカにセット可能な台車を備える。この台車には、伸縮可能なステイを介してスタッカトレイが設けられている。
【００２７】
印刷装置１００によって印刷されたシートに対して大量積載処理を実行する場合、制御部２０５は、印刷装置１００によって印刷されたシートをスタックパスを通してスタッカトレイに排紙させる。このとき、制御部２０５は、スタッカトレイに排紙されたシートが排紙されるのに伴い、スタッカトレイに積載されたシートの上面が、スタックパスの排紙口の高さにくるように、伸縮可能なステイを縮める。それによって、スタックパスから排紙されたシートをスタッカトレイに積載させることができる。
【００２８】
大容量スタッカは、不図示の前ドアを有し、ユーザは、前ドアを開けることによって、スタッカトレイごと、台車を取り外すことができるようになっている。ユーザは、台車を用いることによって、スタッカトレイに積載されたシートを、別の装置に容易に搬送することができる。
【００２９】
図３（ｃ）は、インサータ２００−３ｄの構成を示す拡大断面図である。インサータ２００−３ｄは、シートの搬送路として、ストレートパスやエスケープパスを備える。インサータ２００−３ｄは、さらに、エスケープトレイ、給紙デッキ１、給紙デッキ２、給紙デッキ３を備える。各給紙デッキ１〜３は、各種サイズのシートをセットできるようになっている。制御部２０５は、給紙デッキ１〜３のいずれかからシートを給紙し、下流の後処理装置に搬送させる。
【００３０】
ユーザは、例えば、挿入したいシートをインサータ２００−３ｄにセットして、印刷装置１００で印刷されたシートに、所望のシートを挿入させることができる。また、インサータ２００−３ｄは、上流の装置（図３（ａ）に示す装置構成の場合、大容量スタッカ）から搬送されたシートをストレートパスを介して、下流の装置に搬送させることができるように構成されている。
【００３１】
図４（ａ）は、糊付け製本機２００−３ｂの構成を示す拡大断面図である。糊付け製本機２００−３ｂは、上流の装置（図３（ａ）に示す装置構成の場合、インサータ２００−３ｄ）から搬送されたシートを３つの搬送パスに選択的に搬送する。１つは表紙パスであり、１つは本身パスであり、１つはストレートパスである。また、糊付け製本機２００−３ｂはインサータパスを有する。インサータパスは、インサータトレイに置かれたシートを、表紙パスに搬送するためのシート搬送路である。
【００３２】
図４（ａ）に示す糊付け製本機２００−３ｂのストレートパスは、この糊付け製本機２００−３ｂによる糊付け製本処理を要さないジョブのシートを後段の装置へ搬送するためのシート搬送路である。また、図４（ａ）に示す糊付け製本機２００−３ｂの本身パスと表紙パスは、くるみ製本印刷物を作成する為に必要なシートを搬送するためのシート搬送路である。
【００３３】
例えば、この糊付け製本機２００−３ｂを用いてくるみ製本印刷物を作成する場合、制御部２０５は、くるみ製本印刷物の本文用のシートに印刷されるべき本文用の画像データをプリンタ部２０３により印刷させる。１冊分のくるみ製本印刷物を作成する際には、この本文用のシートの１冊分のシート束が１枚の表紙でくるまれる。くるみ製本における、この本文用のシート束を「本身」と呼ぶ。
【００３４】
制御部２０５は、本身となる、印刷装置１００で印刷されたシートを、図４（ａ）に示す本身パスへ搬送するように制御する。そして、制御部２０５は、くるみ製本処理を行う場合、印刷装置１００で印刷された本身を、表紙パスを介して搬送された表紙用のシートでくるむ処理を実行する。
【００３５】
例えば、制御部２０５は、上流側の装置から搬送された本身となるシートを順次、図４（ａ）の本身パスを介してスタック部でスタックさせる。本文データが印刷されたシートがスタック部に１冊に相当する枚数分スタックされると、制御部２０５は、表紙パスを介して、そのジョブで要する表紙用の１枚のシートを搬送させる。制御部２０５は、この本身に相当する１セット分のシート束の背表紙部分に糊付け処理を行うように図４（ａ）の糊付け部を制御する。その後、この本身の背表紙部分と表紙の中央部とを糊付け部で接合させるように制御部２０５は制御する。表紙に本身を接合する際には、本身が装置下方に対して押し込まれるように搬送される。これにより、本身が１枚の表紙でくるまれるように表紙の折り畳み処理がなされる。その後、この１セット分のシート束は、ガイドに沿って図４（ａ）の回転台の上に積載される。
【００３６】
この１セット分のシート束が回転台にセットされた後に、制御部２０５は、このシート束の断裁処理をカッタ部により実行させる。この際、この１セット分のシート束における背表紙部分に該当する端部以外の３つの端部を断裁する三方断裁処理をカッタ部で実行することができる。その後、制御部２０５は、この三方断裁処理済みのシート束を、幅寄せ部を用いてバスケットの方向に押し出し、バスケットに収納させる。
【００３７】
また、この糊付け製本機は、上流装置から搬送されたシートを処理するだけではなく、インサータトレイから給紙されたシートに対してくるみ製本処理、もしくは天糊製本処理を行うことができる。例えば、インサータトレイから給紙されたシートに対してくるみ製本処理を実行する場合を説明する。まず、オペレータは、処理するシートを図４（ａ）に示すインサータトレイにセットする。そして、制御部２０５は、同じく図４（ａ）に示すインサータを用いて、インサータトレイにセットされたシートを給紙し、まず本身とする。次に、制御部２０５は、この本身となるシートを、図４（ａ）に示す本身パスへ搬送するように制御する。そして、制御部２０５は、次に同じくインサータトレイから給紙した、表紙用のシートを、表紙パスを介して搬送し、本身シートをくるむ処理を実行する。また、糊付け製本機２００−３ｂは、インサータ２００−３ｄから給紙されたシートに対して、くるみ製本処理、もしくは天糊製本処理を行うこともできる。
【００３８】
図４（ｂ）は、中綴じ製本機２００−３ｃの構成を示す断面図である。中綴じ製本機２００−３ｃは、印刷装置１００からのシートに対してステイプル処理、断裁処理、パンチ処理、Ｚ折り処理、シフト排紙処理、中綴じ製本処理等を選択的に実行する各種ユニットを備える。また、この中綴じ製本機２００−３ｃは、後段の装置へのシート搬送機能の役目を果たすストレートパスを持たない。このため、印刷装置１００に複数台のシート処理装置を接続する場合には、図３（ａ）に示すように、この中綴じ製本機２００−３ｃは最後尾に接続される。また、中綴じ製本機２００−３ｃは、図４（ｂ）に示すように、装置外部にサンプルトレイ、スタックトレイを有し、装置内部にブックレットトレイを有する。
【００３９】
制御部２０５は、この中綴じ製本機２００−３ｃでステイプルするように指示を受けた場合、印刷装置１００で印刷されたシートを、中綴じ製本機２００−３ｃ内部の処理トレイに順次スタックさせる。一束分のシートが処理トレイにスタックされたら、制御部２０５は、ステープラにステイプルを行わせる。その後、制御部２０５は、このステイプルされたシート束を、この処理トレイから図４（ｂ）のスタックトレイへ排出させる。
【００４０】
また、制御部２０５は、中綴じ製本機２００−３ｃでＺ折りを行うように指示を受けたジョブを実行する場合、印刷装置１００で印刷されたシートに対してＺ折り部により、Ｚ字状に折り処理を実行する。そして、制御部２０５は、折り処理されたシートを、中綴じ製本機２００−３ｃ内を通過させて、スタックトレイ及びサンプルトレイ等の排出トレイに排紙するよう制御する。
【００４１】
また、制御部２０５は、中綴じ製本機２００−３ｃでパンチ処理設定を行うように指示を受けた場合、印刷装置１００で印刷されたシートに対してパンチャによるパンチ処理を実行する。そして、制御部２０５は、中綴じ製本機２００−３ｃ内を通過させて、スタックトレイ及びサンプルトレイ等の排出トレイに排紙するよう制御する。
【００４２】
また、制御部２０５は、中綴じ製本機２００−３ｃで中綴じ製本処理を行うように指示を受けたジョブを実行する場合、サドルステッチャ部によって、１セット分の複数枚のシートからなるシート束の中央部分に二箇所綴じを行わせる。その後、制御部２０５は、このシート束の中央部分をローラに噛ませることにより、シートの中央部分を基準とした二つ折りを行わせる。これにより、パンフレットのようなブックレットが作成できる。このように、サドルステッチャ部で中綴じ製本処理が施されたシート束は、ブックレットトレイに搬送される。
【００４３】
また、中綴じ製本処理を行うように指示を受けたジョブに対して、断裁処理を行うように指示を受け付けた場合には、制御部２０５は、中綴じ製本されたシート束をブックレットトレイからトリマへ搬送させる。その後、制御部２０５は、トリマに搬送されたシート束をカッタ部によって断裁させ、このシート束をブックレットホールド部に保持させる。この図４（ｂ）の中綴じ製本機２００−３ｃでも、中綴じ製本されたシート束の三方断裁が実行できるように構成されている。
【００４４】
なお、中綴じ製本２００−３ｃがトリマを持たない場合には、サドルステッチャ部で製本されたシート束は、ブックレットトレイから取り出すことができる。また、中綴じ製本２００−３ｃは、図４（ｂ）のインサートトレイにセットされたシートを印刷装置１００から搬送されるシートに必要に応じて添付する。さらに、この中綴じ製本２００−３ｃは、上流の装置から搬送されたシートを処理するだけではなく、インサータトレイから給紙されたシートに対して、ステイプル処理、断裁処理、パンチ処理、Ｚ折り処理、シフト排紙処理、中綴じ製本処理等を行うことができる。例えば、予め印刷されたシート等をインサータトレイにセットして、当該シートに対して中綴じ製本処理を実行することができる。
【００４５】
しかし、図４（ｂ）に示すように、中綴じ製本２００−３ｃは、インサータトレイから給紙したシートをＺ折り部へ搬送するパスを持たないため、インサータトレイから給紙したシートに対してＺ折り処理を実行することはできない。
【００４６】
ユーザは、予め印刷されたシートに対して、Ｚ折り処理を実行したい場合には、インサータ２００−３ｄにシートをセットし、給紙させるようにすればよい。それによって、印刷装置１００による印刷を必要としないシートに対してＺ折り処理を実行することができる。また、中綴じ製本機２００−３ｃは、インサータ２００−３ｄにシートに対して、Ｚ折り処理以外の処理（ステイプル処理、パンチ処理、Ｚ折り処理、シフト排紙処理、中綴じ製本処理等の処理）を実行することもできる。
【００４７】
次に、図５（ａ）を用いて、図２に示す操作部２０４の構成を説明する。操作部２０４は、タッチパネル部４００１と、キー入力部４００２とを備える。タッチパネル部４００１は、ＬＣＤ（Ｌｉｑｕｉｄ  Ｃｒｙｓｔａｌ  Ｄｉｓｐｌａｙ：液晶表示部）とその上に貼られた透明電極からなり、ユーザから指示を受け付けるための各種設定画面を表示する。このタッチパネル部４００１は、各種画面を表示する機能とユーザからの指示を受け付ける指示入力機能を兼ね備える。キー入力部４００２は、電源キー５００１やスタートキー５００３や、ストップキー５００２やユーザモードキー５００５、テンキー５００６を備える。スタートキー５００３は、コピージョブや、送信ジョブの実行を印刷装置１００に開始させる場合に用いられる。ユーザモードキー５００５は、機器の各種設定を行うためのキーである。テンキー５００６は、印刷部数等の数値入力の設定を行う場合に用いられる。制御部２０５は、このタッチパネル部４００１に表示される各種画面を介して受け付けたユーザ指示やキー入力部４００２を介して受け付けたユーザ指示に基づいた各種処理を行うように印刷システム１０００を制御する。
【００４８】
図５（ａ）に示すタッチパネル部４００１には、コピー機能の標準画面が表示されている。標準画面は、両面ボタン６１４や、用紙選択ボタン６１５等のボタンを有し、ユーザは、これらのボタンを押すことによって、各種設定を行う。また、ユーザは、シート処理設定ボタン６０９を押すことによって、後処理装置２００を用いて実行するシート処理の設定を行うことができる。シート処理設定ボタン６０９が押されると、制御部２０５は、図５（ｂ）に示す画面をタッチパネル部４００１に表示させる。
【００４９】
図５（ｂ）に示す画面には、ステイプルキー７０１、パンチキー７０２、断裁キー７０３、シフト排紙キー７０４、中綴じ製本キー７０５、折りキー７０６、糊付け製本キー７０７、７０８、インサート処理キー７１２が含まれる。制御部２０５は、図５（ｂ）に示す画面を介して受け付けた設定を、ジョブの設定として、ＲＡＭ２０８等のメモリに保持させる。
【００５０】
ステイプルキー７０１は、中綴じ製本機２００−３ｃに、シートをステイプルの針によって綴じるステイプルを実行させるためのキーである。パンチキー７０２は、中綴じ製本機２００−３ｃに、シートに穴を開けるパンチ処理を実行させるためのキーである。断裁キー７０３は、中綴じ製本機２００−３ｃに、シートの断裁処理を実行させるためのキーである。シフト排紙キー７０４は、大容量スタッカ２００−３ａに、シートをシフトさせた状態でスタッカトレイに排紙するシフト排紙処理を実行させるためのキーである。中綴じ製本キー７０５は、中綴じ製本機２００−３ｃによって、シートに対する中綴じ製本処理を実行させるためのキーである。折りキー７０６は、中綴じ製本機２００−３ｃによって、シートに対する折り処理を実行させるためのキーである。糊付け製本キー７０７は、糊付け製本機２００−３ｂによって、シートに対するくるみ製本処理を実行させるためのキーである。糊付け製本キー７０８は、糊付け製本機２００−３ｂによって、シートに対するくるみ製本処理を実行させるためのキーである。大量積載処理キー７０９は、大容量スタッカ２００−３ａによって、シートをスタッカトレイに排紙させる大量積載処理を実行させるためのキーである。インサート処理キー７１２は、インサータ２００−３ｄによって、印刷装置１００によって印刷された複数のシートの任意の箇所に、シートを挿入させるインサート処理を実行させるためのキーである。キャンセルキー７１０は、図５（ｂ）に示す画面で設定された内容をジョブの設定として反映させずに、図５（ａ）に示す画面に表示を戻すためのキーである。ＯＫキー７１１は、図５（ｂ）に示す画面で設定された内容を、ジョブの設定としてＲＡＭ２０８に保持させた状態で、図５（ａ）に示す画面に表示を戻すためのキーである。
【００５１】
上述のように、図５（ｂ）に示す画面を介して受け付けたシート処理は、印刷装置１００によって印刷されたシートに対して実行される。例えば、中綴じ製本キー７０５が選択された状態で、ＯＫキー７１１が押され、スタートキー５００３によってジョブの実行開始指示を受けた場合、制御部２０５は、次のように制御する。制御部２０５は、スキャナ部２０１により原稿の画像データを読み取り、印刷装置１００によって当該画像データを印刷する。そして、制御部２０５は、印刷されたシートを中綴じ製本機２００−３ｃに搬送し、中綴じ製本機２００−３ｃによって中綴じ製本処理を実行させる。それによって、ユーザは、原稿の画像データが印刷され、中綴じ製本処理が実行されたシートを手に入れることができる。
【００５２】
また、例えば、大量積載処理キー７０９が選択された状態で、ＯＫキー７１１が押され、スタートキー５００３によってジョブの実行開始指示を受けた場合、制御部２０５は、次のように制御する。制御部２０５は、スキャナ部２０１により原稿の画像データを読み取り、印刷装置１００によって当該画像データを印刷する。そして、制御部２０５は、印刷装置１００によって印刷されたシートを大容量スタッカ２００−３ａに搬送し、大容量スタッカ２００−３ａのスタッカトレイに排紙させる。それによって、ユーザは、原稿の画像データが印刷され、スタッカトレイに積載されたシートを大量に積載させ、台車で容易に運搬することができる。
【００５３】
上述したように、図５（ｂ）に示す画面で設定されたシート処理は、印刷装置１００によって印刷されたシートに対して行われる。このように、印刷装置１００によって印刷されたシートに対するシート処理しか受け付けることができないようにすると、印刷装置１００による印刷を行わずに、中綴じ製本処理等のシート処理のみを行うことができない。そのため、例えば、ユーザは、印刷システム１０００を用いて、予め印刷されたシートに対して中綴じ製本処理等のシート処理のみを行うことができない。そこで、本実施形態では、図５（ｃ）に示す画面を介して、印刷装置１００による印刷を伴わずに、シートに対して後処理装置による後処理を行うことを可能にした。
【００５４】
図５（ｃ）に示す画面は、ステイプルキー８０１、パンチキー８０２、断裁キー８０３、中綴じ製本キー８０５、折りキー８０６、糊付け製本キー８０７、８０８、インサート処理キー８１２が含まれる。制御部２０５は、図５（ｃ）に示す画面を介して受け付けた設定を、ジョブの設定として、ＲＡＭ２０８等のメモリに保持させる。
【００５５】
ステイプルキー８０１は、中綴じ製本機２００−３ｃに、シートをステイプルの針によって綴じるステイプルを実行させるためのキーである。パンチキー８０２は、中綴じ製本機２００−３ｃに、シートに穴を開けるパンチ処理を実行させるためのキーである。断裁キー８０３は、中綴じ製本機２００−３ｃに、シートの断裁処理を実行させるためのキーである。中綴じ製本キー８０５は、中綴じ製本機２００−３ｃによって、シートに対する中綴じ製本処理を実行させるためのキーである。折りキー８０６は、中綴じ製本機２００−３ｃによって、シートに対する折り処理を実行させるためのキーである。糊付け製本キー８０７は、糊付け製本機２００−３ｂによって、シートに対するくるみ製本処理を実行させるためのキーである。糊付け製本キー８０８は、糊付け製本機２００−３ｂによって、シートに対するくるみ製本処理を実行させるためのキーである。インサート処理キー８１２は、インサータ２００−３ｄによって、印刷装置１００によって印刷された複数のシートの任意の箇所に、シートを挿入させるインサート処理を実行させるためのキーである。上述のように、図５（ｃ）に示す画面を介して受け付けたシート処理は、印刷装置１００による印刷を伴わずに実行される。
【００５６】
中綴じ製本キー７０５が選択された状態で、ＯＫキー７１１が押され、スタートキー５００３によってジョブの実行開始指示を受けた場合、制御部２０５は、次のように制御する。制御部２０５は、インサータ２００−３ｄの給紙カセット１〜３や、中綴じ製本機２００−３ｃのインサータトレイ等、指定された給紙部から、シートを給紙する。そして、制御部２０５は、給紙されたシートを中綴じ製本機２００−３ｃの内部に搬送し、中綴じ製本機２００−３ｃによってシートに対して中綴じ製本処理を実行させる。それによって、ユーザは、原稿の画像データが印刷され、中綴じ製本処理が実行されたシートを手に入れることができる。ユーザは、例えば、予め別の印刷システム１００１によって印刷を実行したシートをインサータ２００−３ｄの給紙カセット１〜３や、中綴じ製本機２００−３ｃのインサータトレイにセットし、中綴じ製本処理を実行させることができる。
【００５７】
図５（ｃ）に示す画面には、図５（ｂ）に示したシフト排紙キー７０４、大量積載処理キー７０９に対応するキーは表示されない。その理由を次に説明する。図３（ａ）に示す大容量スタッカ２００−３ａには、インサータトレイを備えず、また、インサータ２００−３ｄの給紙カセット１〜３からシートを給紙することができない。そのため、給紙されたシートに対して、シフト排紙キー７０４に対応するシフト排紙処理、大量積載処理キー７０９に対応する大量積載処理等をシートに対して実行できないためである。仮に、印刷システム１０００が、インサータ２００−３ｄよりも下流側に大容量スタッカが接続されている構成の場合、シフト排紙キー７０４、大量積載処理キー７０９を表示すればよい。このように、制御部２０５は、印刷システム１０００の構成上、印刷装置１００による印刷を伴わずに処理できるシート処理に対応するキーを図５（ｃ）に表示させるようにするとよい。
【００５８】
（第１の実施形態）
まず、図６のフローチャートを用いて、第１の実施形態について説明する。ステップＳ１０００において、当該処理を開始する。ステップＳ１００１において、後処理設定のユーザインタフェース画面（図９（ａ））を表示し、ユーザ操作に応じて、インラインモードで仕上げ処理をするか、オフラインモードで仕上げ処理をするかを決定する。従って、このＵＩ画面が、印刷装置１００による印刷処理、印刷装置１００に接続された後処理装置２００による後処理のうちの少なくともいずれかを実行するためのジョブの実行要求を受け付ける実行要求受付手段として機能する。また、以下で説明する各種ＵＩ画面で指定された設定がジョブの属性情報として機能する。
【００５９】
ステップＳ１００２において、オフラインモードで仕上げ処理をする場合には、ユーザが後処理設定のＵＩ画面（図９（ａ））にある「仕上げ（オフライン）」タブを押すと、ステップＳ１００４に進む。逆に、インラインモードで仕上げ処理をする場合には、ユーザが後処理設定のＵＩ画面（図９（ａ））にある「仕上げ（オフライン）」タブを押さずに、ステップＳ１００３に進む。
【００６０】
ステップＳ１００３において、インライン処理を行う。なお、インライン処理の詳細については、後述の図７のフローチャートを用いて説明する。そして、インライン処理が終了したら、ステップＳ１００５に進む。ステップＳ１００４において、オフライン処理を行う。なお、オフライン処理の詳細については、後述の図８のフローチャートを用いて説明する。そして、オフライン処理が終了したら、ステップＳ１００５に進む。ステップＳ１００５において、当該処理系を終了する。
【００６１】
次に、図７のフローチャートを用いて、インライン処理について説明する。ステップＳ１１００において、インライン処理を開始する。ステップＳ１１０１において、インライン用のＵＩ画面（図９（ａ））を表示する。ステップＳ１１０２において、ユーザがインライン用のＵＩ画面（図９（ａ））の中にある「仕上げ（インライン）」ボタンを押すと、「インライン処理モード」のＵＩ画面（図９（ｂ）、第２のユーザインタフェース画面）に切り替わる。「インライン処理モード」のＵＩ画面（図９（ｂ））には、当該モードであることをユーザが識別可能に表示されると共に、「後処理設定」の選択ボタンがあり、ユーザが「後処理設定」ボタンを押すと「後処理設定」のＵＩ画面（図１０（ａ））に切り替わる。「後処理設定」のＵＩ画面（図１０（ａ））の中には複数種類の後処理が表示されている。本実施形態では、コピー処理により中綴じ製本処理を行うものとし、ユーザは「後処理設定」のＵＩ画面（図１０（ａ））の中から「中綴じ製本処理」を選択する。
【００６２】
そして、ユーザが「中綴じ製本処理」のボタンを押すと、「中綴じ製本処理」のＵＩ画面（図１０（ｂ））に切り替わる。この「中綴じ製本処理」のＵＩ画面（図１０（ｂ））には、「綴じ方向」、「本文設定」、「表紙設定」の設定ボタンが表示されている。まず、「綴じ方向」の設定を行う。このＵＩ画面（図１０（ｂ））では、「左開き」と「右開き」の選択ができる。本実施形態では、ユーザは「左開き」を選択するものとし、「左開き」ボタンを押す（選択するとグレイアウトされた状態になる）。次に、ユーザは「中綴じ製本処理」のＵＩ画面（図１０（ｂ））の中から「本文設定」を選択し、「本文設定」ボタンを押すと、「中綴じ製本処理（本文設定）」のＵＩ画面（図１１（ａ））に切り替わる。「中綴じ製本処理（本文設定）」のＵＩ画面（図１１（ａ））では、印刷用紙を給紙するための給紙段（供給源）の設定を行う。本実施形態では、「ペーパーデッキ」、「カセット１」、「カセット２」、「カセット３」、「カセット４」が設定できるものとし、本実施形態では「カセット１」を選択するものとする。
【００６３】
そして、ユーザが「中綴じ製本処理（本文設定）」のＵＩ画面（図１１（ａ））の中から「カセット１」ボタンを押すと、「用紙設定（本文）」のＵＩ画面（図１１（ｂ））に切り替わる。「用紙設定（本文）」のＵＩ画面（図１１（ｂ））では、給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、ユーザが「中綴じ製本処理」のＵＩ画面（図１０（ｂ））の中から「表紙設定」を選択し、「表紙設定」ボタンを押すと、「中綴じ製本処理（表紙設定）」のＵＩ画面（図１２（ａ））に切り替わる。「中綴じ製本処理（表紙設定）」のＵＩ画面（図１２（ａ））では、表紙で使う用紙を給紙するための給紙段の設定を行う。本実施形態では、「インサータ」、「ペーパーデッキ」、「カセット１」、「カセット２」、「カセット３」、「カセット４」が設定できるものとし、本実施形態では「インサータ」を選択するものとする。
【００６４】
そして、ユーザが「中綴じ製本処理（表紙設定）」のＵＩ画面（図１２（ａ））の中から「インサータ」ボタンを押すと、「用紙設定（表紙）」のＵＩ画面（図１２（ｂ））に切り替わる。「用紙設定（表紙）」のＵＩ画面（図１２（ｂ））では、給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「厚紙」に、用紙サイズを「Ａ３」に設定する。
【００６５】
ステップＳ１１０３において、Ｓ１１０２で設定したジョブをインラインジョブとして管理する。管理情報としては、作成部数指定情報、枚数指定情報、メディア条件指定情報、後処理種類指定情報、及び供給源指定情報等が挙げられる。図２の制御部２０５に基づいて、ＲＡＭ２０８に格納されるものとする。ステップＳ１１０４において、図２の制御部２０５はジョブ実行指示を受け付けたか否かを判定する。なお、ジョブ実行指示は図５（ａ）のスタートキー５００３を押すことで可能となる。ジョブ実行指示を受け付けた場合には、ステップＳ１１０５に進む。逆に、ジョブ実行指示を受け付けていない場合には、ステップＳ１１０４を再度繰り返す。ステップＳ１１０５において、当該ジョブで必要な印刷処理を実施し、ステップＳ１１０６において、当該ジョブで必要な後処理を実施する。つまり、印刷装置１００による印刷処理、後処理装置２００による後処理の双方を実行する。このジョブの場合は図３（ａ）の自動原稿搬送装置３３０にコピー元の用紙をセットし、印刷装置１００にて複写処理を実施し、中綴じ製本機２００−３ｃに複写後の用紙を搬送する。そして、中綴じ製本機２００−３ｃは複写処理された用紙を使って、中綴じ製本処理を実施し、排紙する。
【００６６】
ステップＳ１１０７において、ジョブが終了したか否かを判定する。ジョブが終了していない場合には、再度ステップＳ１１０５、ステップＳ１１０６を実行する。この場合のステップＳ１１０６で処理する後処理は中綴じ製本と別の処理であってもよい。逆に、ジョブが終了した場合には、ステップＳ１１０８に進む。ステップＳ１１０８において、ステップＳ１１０３で設定した情報を、図２の制御部２０５に基づいて、ＲＡＭ２０８に格納された当該ジョブの管理情報を更新する。ステップＳ１１０９において、当該インライン処理を終了する。
【００６７】
次に、図８のフローチャートを用いて、オフライン処理について説明する。ステップＳ１２０１において、オフライン用（マニュアルモード用）のＵＩ画面（図１３（ａ）、第１のユーザインタフェース画面）を表示する。ステップＳ１２０２において、オフラインで用いる「後処理設定」を行う。オフライン用のＵＩ画面（図１３（ａ））には「後処理設定」のボタンが表示されている。オフライン用のＵＩ画面（図１３（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【００６８】
そして、ユーザが「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、ユーザが「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では「インサータ」を選択するものとする。
【００６９】
そして、ユーザが「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【００７０】
次に、ユーザが「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では「表紙」は使わないものとする（図１３（ｂ）の「表紙設定」は白抜きになっている。）
ステップＳ１２０３において、このジョブの情報をオフライン後処理ジョブの情報として管理する。図２の制御部２０５に基づいて、ＲＡＭ２０８に格納されるものとする。ステップＳ１２０４において、図２の制御部２０５はジョブ実行指示を受け付けたか否かを判定する。なお、ジョブ実行指示はユーザが図５（ａ）のスタートキー５００３を押すことで、可能となる。ジョブ実行指示を受け付けた場合には、ステップＳ１２０５に進む。逆に、ジョブ実行指示を受け付けていない場合には、ステップＳ１２０４を再度繰り返す。ステップＳ１２０５において、印刷処理を伴わない後処理ジョブとして、必要な後処理を実行する。本実施形態では、後処理で使用する（印刷済みの）用紙を図３（ｃ）のインサータ２００−３ｄから給紙し、図４（ｂ）の中綴じ製本機２００−３ｃを使って、後処理を実行するものとする。ステップＳ１２０６において、後処理が終了したか否かを判定する。後処理がまだ残っている場合には、再度ステップＳ１２０５を実行する。この場合のステップＳ１２０５はくるみ製本と別の処理であってもよい。
【００７１】
ステップＳ１２０７において、ステップＳ１２０４で設定した情報を、図２の制御部２０５に基づいて、ＲＡＭ２０８に格納された当該ジョブの管理情報を更新する。ステップＳ１２０８において、当該処理のオフライン処理を終了する。
【００７２】
以上のように、印刷システム１０００は、印刷装置１００による印刷を伴うシート処理だけでなく、印刷装置１００による印刷を伴わないシート処理を実行することができる。また、ユーザは、印刷装置１００による印刷を伴うシート処理の設定も、印刷装置１００による印刷を伴わないシート処理の設定も同じ操作部２０４から指示することができる。
【００７３】
（第２の実施形態）
第１の実施形態によれば、印刷装置１００による印刷を伴わないシート処理（例えば、パンチ処理やステイプル処理など）を実行することができる。この場合、ユーザは、後処理装置２００に実行させるシート処理の設定を操作部２０４から行う。
【００７４】
ここで、印刷システム１０００が、印刷装置１００による印刷を行わずに、後処理装置２００によってシート処理を行う場合に、シートの枚数を指定するための制御について説明する。例えば、中綴じ製本機２００−３ｃによって複数部の製本物を作成したい場合がある。その場合に、ユーザは、中綴じ製本機２００−３ｃのインサータトレイにシートをセットし、複数部の製本物の中綴じ製本処理を実行させる場合に、何枚のシートごとに１冊の本として出力するかを設定しておく。制御部２０５は、中綴じ製本機２００−３ｃのインサータトレイにセットされたシートを、設定された枚数分給紙して中綴じ製本処理を実行する。
【００７５】
次に、図１５のフローチャートを用いて、第２の実施形態について説明する。第２の実施形態は、第１の実施形態で説明した図６のフローチャートの他の実施形態であり、「オフライン処理２」と呼ぶものとする。
【００７６】
ステップＳ２５００において、当該処理系を開始する。ステップＳ２５０１において、オフライン処理２（マニュアルモード用のＵＩ）のＵＩ画面（図１８（ａ））を表示する。「オフライン処理２」のＵＩ画面（図１８（ａ））には「使いきりモード（第１のモード）」と「枚数指定モード（第２のモード）」の選択ボタンが用意されており、ユーザは「使いきりモード」と「枚数指定モード」のどちらかを選択するものとする。
【００７７】
ステップＳ２５０２において、ステップＳ２５０１で選択されたモードが「枚数指定モード」であるか否かを判定する。ステップＳ２５０２で、ユーザがオフライン処理モードのＵＩ画面（図１８（ａ））の中から「使いきりモード」を選択し、「使いきりモード」ボタンを押した場合には、ステップＳ２５０３に進む。逆に、ステップＳ２５０２で、ユーザが「オフライン処理モード２」のＵＩ画面（図１８（ａ））の中から「枚数指定モード」を選択し、「枚数指定モード」ボタンを押した場合には、ステップＳ２５０４に進む。
【００７８】
ステップＳ２５０３において、当該オフライン処理は「使いきりモード」として処理される。なお、「使いきりモード」についての詳細は図１６のフローチャートを用いて後述する。そして、「使いきりモード」の処理が終了したら、ステップＳ２５０５に進む。
【００７９】
ステップＳ２５０４において、当該オフライン処理は「枚数指定モード」として処理される。なお、「枚数指定モード」についての詳細は図１７のフローチャートを用いて後述する。そして、「枚数指定モード」の処理が終了したら、ステップＳ２５０５に進む。ステップＳ２５０５において、オフライン処理２の処理系を終了する。
【００８０】
次に、図１６のフローチャートを用いて、使いきりモードについて説明する。使いきりモードは、供給源における印刷済みメディアの残数が規定数を下回るまで供給源から後処理装置２００に印刷済みメディアを供給し、供給された印刷済みメディアを一部の印刷物とする後処理を実行するモードである。
【００８１】
ステップＳ２６００において、「使いきりモード」（第１モード）の処理系を開始する。ステップＳ２６０１において、ユーザが「オフライン処理モード２」のＵＩ画面（図１８（ａ））の中から「使いきりモード」を選択し、「使いきりモード」のボタンを押すことで、「使いきりモード」のＵＩ画面（図１８（ｂ））に切り替わる。
【００８２】
ステップＳ２６０２において、使いきりモードで用いる「後処理設定」を行う。「使いきりモード」のＵＩ画面（図１８（ｂ））には「後処理設定」のボタンが表示されている。「使いきりモード」のＵＩ画面（図１８（ｂ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【００８３】
そして、ユーザが「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１０（ｂ））に切り替わる。「中綴じ製本処理」のＵＩ画面（図１０（ｂ））の中には「本文設定」と「表紙設定」を選択するためのボタンが表示されている。まず、ユーザが「中綴じ製本処理」のＵＩ画面（図１０（ｂ））の中から「本文設定」を選択し、「本文設定」ボタンを押すと、「中綴じ製本処理（本文設定）」のＵＩ画面（図１１（ａ））に切り替わる。「中綴じ製本処理（本文設定）」のＵＩ画面（図１１（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では「インサータ」を選択するものとする。
【００８４】
そして、ユーザが「中綴じ製本処理（本文設定）」のＵＩ画面（図１１（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【００８５】
次に、「中綴じ製本処理」のＵＩ画面（図１０（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では「表紙」は使わないものとする（図１３（ｂ）の「表紙設定」は白抜きになっている）。
【００８６】
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【００８７】
ステップＳ２６０５において、ステップＳ２６０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【００８８】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の「使いきりモード」を終了する。
【００８９】
次に、図１７のフローチャートを用いて、枚数指定モードについて説明する。枚数指定モードは、ユーザからの指示に応じた枚数の印刷済みメディアを供給源から後処理装置２００に供給し、当該供給された印刷済みメディアを一部の印刷物とする後処理を実行するモードである。
【００９０】
ステップＳ２７００において、「枚数指定モード」（第２モード）の処理系を開始する。ステップＳ２７０１において、ユーザが「オフライン処理モード２」のＵＩ画面（図１８（ａ））の中から「枚数指定モード」を選択し、「枚数指定モード」のボタンを押すことで、「枚数指定モード」のＵＩ画面（図１９（ａ））に切り替わる。
【００９１】
ステップＳ２７０２において、枚数指定モードで用いる「後処理設定」を行う。「枚数指定モード」のＵＩ画面（図１９（ａ））には「後処理設定」と「部数指定」と「一部当たりの枚数指定」のボタンが表示されている。この中から「枚数指定モード」のＵＩ画面（図１９（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【００９２】
そして、「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では「インサータ」を選択するものとする。
【００９３】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では「表紙」は使わないものとする（図１３（ｂ）の「表紙設定」は白抜きになっている）。
【００９４】
ステップＳ２７０３において、当該オフライン処理で印刷物（中綴じ製本）を何部作成するかを設定する。そこで、「枚数指定モード」のＵＩ画面（図１９（ａ））の中から「部数指定」を選択し、「部数指定」のボタンを押すと、「部数指定（枚数指定モード）」のＵＩ画面（図１９（ｂ））が表示される。「部数指定（枚数指定モード）」のＵＩ画面（図１９（ｂ））で印刷物の作成部数を設定する。本実施形態では、１０部に設定するものとする。
【００９５】
ステップＳ２７０４において、当該オフライン処理で印刷物（中綴じ製本）の本文の枚数を設定する。そこで、「枚数指定モード」のＵＩ画面（図１９（ａ））の中から「一部当たりの枚数指定」を選択し、「一部当たりの枚数指定」のボタンを押すと、「枚数指定（枚数指定モード）」のＵＩ画面（図１９（ｃ））が表示される。「枚数指定（枚数指定モード）」のＵＩ画面（図１９（ｃ））で印刷物の一部当たりの枚数を設定する。本実施形態では、２０枚を設定するものとする。
【００９６】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【００９７】
ステップＳ２７０７において、ステップＳ２７０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【００９８】
ステップＳ２７０８において、図４（ｂ）の中綴じ製本機２００−３ｃを使って、インサータにセットされた全ての用紙を使って、中綴じ製本を作成する。ステップＳ２７０９において、指定部数の印刷物が作成されたか否かを判定する。作成部数は、図２の制御部２０５に基づいて、ＲＡＭ２０８に格納されるものとする。指定部数の印刷物が作成されている場合には、ステップＳ２７１０に進む。逆に、指定部数の印刷物が作成されていない場合には、ステップＳ２７０７、ステップＳ２７０８、ステップＳ２７０９を再度繰り返す。
【００９９】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定モード」を終了する。
【０１００】
（第３の実施形態）
次に、図２０のフローチャートを用いて、第３の実施形態について説明する。第３の実施形態は、第１の実施形態で説明した図６のフローチャートの他の実施形態であり、「オフライン処理３」と呼ぶものとする。
【０１０１】
ステップＳ３４００において、当該処理系を開始する。ステップＳ３４０１において、オフライン処理３（マニュアルモード用の第２タイプのＵＩ）のＵＩ画面（図２１（ａ））を表示する。そして、オフライン用のＵＩ画面（図２１（ａ））には「後処理設定」と「部数指定」のボタンが表示されている。オフライン用のＵＩ画面（図２１（ａ））の中にある「部数指定」ボタンを押すと、「部数指定」のＵＩ画面（図１９（ｂ））または（図２１（ｂ））に切り替わる。「部数指定」のＵＩ画面（図１９（ｂ））では、印刷物（中綴じ製本）の部数を１０部と設定している。また、「部数指定」のＵＩ画面（図２１（ｂ））では、印刷物（中綴じ製本）の部数を一部と設定している。
【０１０２】
ステップＳ３４０２において、ステップＳ３４０１の「部数指定」のＵＩ画面（図１９（ｂ））または（図２１（ｂ））で設定した部数が規定数以上（例えば、２以上）であるか否かを判定する。規定数以上である場合には、ステップＳ３４０４の「枚数指定モード」に進む。例えば、「部数指定」のＵＩ画面（図１９（ｂ））で１０部設定した場合に、Ｓ３４０４に進む。なお、ステップＳ３４０４の「枚数指定モード」の詳細については、図１７のフローチャートを用いて説明する。逆に、規定数を下回る場合には、ステップＳ３４０３の「使いきりモード」に進む。例えば、「部数指定」のＵＩ画面（図２１（ｂ））で一部設定した場合に、Ｓ３４０３に進む。ステップＳ３４０３の「使いきりモード」についての詳細は、図１６のフローチャートを用いて説明する。ステップＳ３４０５において、当該処理のオフライン処理３を終了する。
【０１０３】
次に、図１６のフローチャートを用いて、「使いきりモード」について説明する。ステップＳ２６００において、「使いきりモード」の処理系を開始する。ステップＳ２６０１において、「オフライン処理モード３」のＵＩ画面（図２１（ａ））が表示されている。ステップＳ２６０２において、「使いきりモード」で用いる「後処理設定」を行う。「オフライン処理モード３」のＵＩ画面（図２１（ａ））には「後処理設定」と「部数指定」と「一部当たりの枚数指定」のボタンが表示されている。この中から「オフライン処理モード３」のＵＩ画面（図２１（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【０１０４】
そして、ユーザが「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、ユーザが「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１０５】
そして、ユーザが「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【０１０６】
次に、ユーザが「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では「表紙」は使わないものとする（図１３（ｂ）の「表紙設定」は白抜きになっている）。
【０１０７】
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示はユーザが図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【０１０８】
ステップＳ２６０５において、ステップＳ２６０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１０９】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の「使いきりモード」を終了する。
【０１１０】
次に、図１７のフローチャートを用いて、「枚数指定モード」について説明する。ステップＳ２７００において、「枚数指定モード」の処理系を開始する。ステップＳ２７０１において、「オフライン処理モード３」のＵＩ画面（図２１（ａ））を表示させる。ステップＳ２７０２において、「オフライン処理モード３」のＵＩ画面（図２１（ａ））には「後処理設定」と「部数指定」と「一部当たりの枚数指定」のボタンが表示されている。ユーザが「オフライン処理モード３」のＵＩ画面（図２１（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【０１１１】
そして、ユーザが「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、ユーザが「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１１２】
そして、ユーザが「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、ユーザが「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１１３】
ステップＳ２７０３において、当該オフライン処理で印刷物（中綴じ製本）を何部作成するかを取得する。なお、この値は図２０のフローチャートのステップＳ３４０１で既に設定してある値を取得するものとする。
【０１１４】
ステップＳ２７０４において、当該オフライン処理で印刷物（中綴じ製本）の本文の枚数を設定する。そこで、ユーザが「オフライン処理３」のＵＩ画面（図２１（ａ））の中から「一部当たりの枚数指定」を選択し、「一部当たりの枚数指定」のボタンを押すと、「枚数指定」のＵＩ画面（図２１（ｃ））が表示される。「枚数指定」のＵＩ画面（図２１（ｃ））で一部当たりの枚数を指定する。本実施形態では、２０枚を指定するものとする。
【０１１５】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【０１１６】
ステップＳ２７０７において、ステップＳ２７０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。ステップＳ２７０８において、図４（ｂ）の中綴じ製本機２００−３ｃを使って、インサータにセットされた全ての用紙を使って、中綴じ製本を作成する。ステップＳ２７０９において、指定部数分の印刷物が作成されたか否かを判定する。出力部数は、図２の制御部２０５に基づいて、ＲＡＭ２０８に格納されるものとする。指定部数分の印刷物が作成されている場合には、ステップＳ２７１０に進む。逆に、指定部数分の印刷物が作成されていない場合には、ステップＳ２７０７、ステップＳ２７０８、ステップＳ２７０９を再度繰り返す。
【０１１７】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定処理」を終了する。
【０１１８】
（第４の実施形態）
次に、図２２のフローチャートを用いて、第４の実施形態について説明する。第４の実施形態は、第１の実施形態で説明した図６のフローチャートの他の実施形態であり、「オフライン処理４」と呼ぶものとする。
【０１１９】
ステップＳ３８００において、当該処理系を開始する。ステップＳ３８０１において、オフライン処理４（マニュアルモード用のＵＩ）のＵＩ画面（図２３（ａ））を表示する。「オフライン処理４」のＵＩ画面（図２３（ａ））には「後処理設定」と「部数指定」と「一部当たりの枚数指定」のボタンが表示されている。ユーザがオフライン用のＵＩ画面（図２３（ａ））の中にある「一部当たりの枚数指定」ボタンを押すと、「枚数指定」のＵＩ画面（図２３（ｂ））に切り替わる。
【０１２０】
ステップＳ３８０２において、「枚数指定」のＵＩ画面（図２３（ｂ））で、印刷物一部当たりの枚数を指定するものとする。本実施形態では２０枚と指定している。また、本設定値のデフォルト値は０枚に設定されているものとする。
【０１２１】
ステップＳ３８０３において、ステップＳ３８０２の「枚数指定」のＵＩ画面（図２３（ｂ））を介して一部当たりのシート枚数が実際に指定されたか否かを判定する。「枚数指定」のＵＩ画面（図２３（ｂ））でシート枚数が０枚（デフォルト値）と設定されていた場合、つまり何も設定されていない場合には、ステップＳ３８０４の「使いきりモード」に進む。ステップＳ３８０４の「使いきりモード」についての詳細は、図１６のフローチャートを用いて説明する。逆に、「枚数指定」のＵＩ画面（図２３（ｂ））でシート枚数が０枚（デフォルト値）以外が設定されていた場合には、ステップＳ３８０５の「枚数指定モード」に進む。なお、ステップＳ３８０５の「枚数指定モード」の詳細については、図１７のフローチャートを用いて説明する。ステップＳ３８０６において、当該処理の「オフライン処理４」を終了する。
【０１２２】
次に、図１６のフローチャートを用いて、「使いきりモード」について説明する。ステップＳ２６００において、「使いきりモード」の処理系を開始する。ステップＳ２６０１において、「オフライン処理モード４」のＵＩ画面（図２３（ａ））が表示されている。
【０１２３】
ステップＳ２６０２において、使いきりモードで用いる「後処理設定」を行う。「オフライン処理モード４」のＵＩ画面（図２３（ａ））には「後処理設定」と「部数指定」と「一部当たりの枚数指定」のボタンが表示されている。この中から「オフライン処理モード４」のＵＩ画面（図２３（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【０１２４】
そして、「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１２５】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【０１２６】
次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１２７】
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【０１２８】
ステップＳ２６０５において、ステップＳ２６０２で設定した給紙段からオフライン処理で使う用紙を給紙する。本実施形態では、「中綴じ製本処理（本文設定）」のＵＩ画面図（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１２９】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の「使いきりモード」を終了する。
【０１３０】
次に、図１７のフローチャートを用いて、「枚数指定モード」について説明する。ステップＳ２７００において、「枚数指定モード」の処理系を開始する。ステップＳ２７０１において、「オフライン処理モード４」のＵＩ画面（図２３（ａ））を表示させる。
【０１３１】
ステップＳ２７０２において、「オフライン処理モード４」のＵＩ画面（図２３（ａ））には「後処理設定」と「部数指定」と「一部当たりの枚数指定」のボタンが表示されている。この中から「オフライン処理モード４」のＵＩ画面（図２３（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１３２】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１３３】
ステップＳ２７０３において、当該オフライン処理４で印刷物（中綴じ製本）を何部作成するかを設定する。そこで、「オフライン処理４」のＵＩ画面（図２３（ａ））の中から「部数指定」を選択し、「部数指定」のボタンを押すと、「部数指定（枚数指定モード）」のＵＩ画面（図２１（ｂ））が表示される。「部数指定（枚数指定モード）」のＵＩ画面（図２１（ｂ））で部数を設定する。本実施形態では、１０部に設定するものとする。
【０１３４】
ステップＳ２７０４において、当該「オフライン処理４」で印刷物（中綴じ製本）を一部当たり何枚で作成するかの値を取得する。なお、この値は図２２のフローチャートのステップＳ３８０２で既に設定してある値を取得するものとする。
【０１３５】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【０１３６】
ステップＳ２７０７において、ステップＳ２７０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１３７】
ステップＳ２７０８において、図４（ｂ）の中綴じ製本機２００−３ｃを使って、インサータにセットされた全ての用紙を使って、中綴じ製本を作成する。ステップＳ２７０９において、指定部数分作成されたかのチェックを行う。出力部数は、図２の制御部２０５に基づいて、ＲＡＭ２０８に格納されるものとする。指定部数分作成されている場合には、ステップＳ２７１０に進む。逆に、指定部数分作成されていない場合には、ステップＳ２７０７、ステップＳ２７０８、ステップＳ２７０９を再度繰り返す。
【０１３８】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定モード」を終了する。
【０１３９】
（第５の実施形態）
次に、図２４のフローチャートを用いて、第５の実施形態について説明する。第５の実施形態は、第１の実施形態で説明した図６のフローチャートの他の実施形態であり、「オフライン処理５」と呼ぶものとする。ステップＳ４１００において、当該処理系を開始する。
【０１４０】
ステップＳ４１０１において、オフライン処理５（マニュアルモード用のＵＩ）のＵＩ画面（図２５（ａ））を表示する。「オフライン処理５」のＵＩ画面（図２５（ａ））には「後処理設定」と「部数指定」と「一部当たりの枚数指定」と「用紙設定」のボタンが表示されている。オフライン用のＵＩ画面（図２５（ａ））の中にある「用紙設定」ボタンを押すと、「用紙設定（給紙）」のＵＩ画面（図２５（ｂ））に切り替わる。
【０１４１】
ステップＳ４１０２において、「用紙設定（給紙）」のＵＩ画面（図２５（ｂ））で、オフライン処理５」で用いる用紙情報の設定を行う。「用紙設定（給紙）」のＵＩ画面（図２５（ｂ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では「インサータ」を選択するものとする。
【０１４２】
そして、「用紙設定（給紙）」のＵＩ画面（図２５（ｂ））の中の「インサータ」ボタンを押すと、「用紙設定（タイプ・サイズ）」のＵＩ画面（図２５（ｃ））に切り替わる。「用紙設定（タイプ・サイズ）」のＵＩ画面（図２５（ｃ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【０１４３】
ステップＳ４１０３において、ステップＳ４１０２の「用紙設定」のＵＩ画面（図２５（ａ））で用紙情報が設定されたか否かをチェックする。当条件設定ではメディア情報の有無に応じて、「使いきりモード」と「枚数指定モード」の切り替えを行うものとする。これはメディアによっては、後処理を行うことができない場合があるからである。「用紙設定」のＵＩ画面（図２５（ａ））で用紙情報の設定がされなかった場合には、ステップＳ４１０４の「使いきりモード」に進む。ステップＳ４１０４の「使いきりモード」についての詳細は、図１６のフローチャートを用いて説明する。逆に、「用紙設定」のＵＩ画面（図２５（ａ））で用紙情報の設定がされた場合には、ステップＳ４１０５の「枚数指定モード」に進む。なお、ステップＳ４１０５の「枚数指定モード」の詳細については、図１７のフローチャートを用いて説明する。ステップＳ４１０６において、当該処理の「オフライン処理５」を終了する。
【０１４４】
次に、図１６のフローチャートを用いて、「使いきりモード」について説明する。ステップＳ２６００において、「使いきりモード」（第１モード）の処理系を開始する。ステップＳ２６０１において、「オフライン処理モード５」のＵＩ画面（図２５（ａ））を表示する。
【０１４５】
ステップＳ２６０２において、「オフライン処理モード５」のＵＩ画面（図２５（ａ））には「後処理設定」と「部数指定」と「一部当たりの枚数指定」のボタンが表示されている。「オフライン処理モード５」のＵＩ画面（図２５（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１４６】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１４７】
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【０１４８】
ステップＳ２６０５において、ステップＳ２６０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１４９】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の「使いきりモード」を終了する。
【０１５０】
次に、図１７のフローチャートを用いて、「枚数指定モード」について説明する。ステップＳ２７００において、「枚数指定モード」の処理系を開始する。ステップＳ２７０１において、「オフライン処理モード５」のＵＩ画面（図２５（ａ））を表示させる。
【０１５１】
ステップＳ２７０２において、「オフライン処理モード５」のＵＩ画面（図２５（ａ））には「後処理設定」と「部数指定」と「一部当たりの枚数指定」と「用紙設定」のボタンが表示されている。この中から「オフライン処理モード５」のＵＩ画面（図２５（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、図２４のフローチャートのＳ４１０２において、既に用紙情報の設定を行っているので、既に用紙の情報はセットされているものとする。
【０１５２】
ステップＳ２７０３において、当該オフライン処理で印刷物（中綴じ製本）を何部作成するかを設定する。そこで、「オフライン処理モード５」のＵＩ画面（図２５（ａ））の中から「部数指定」を選択し、「部数指定」のボタンを押すと、「部数指定（枚数指定モード）」のＵＩ画面（図２１（ｂ））が表示される。「部数指定（枚数指定モード）」のＵＩ画面（図２１（ｂ））で部数を設定する。本実施形態では、１０部に設定するものとする。
【０１５３】
ステップＳ２７０４において、当該オフライン処理で印刷物（中綴じ製本）の本文の枚数を設定する。そこで、「オフライン処理５」のＵＩ画面（図２５（ａ））の中から「一部当たりの枚数指定」を選択し、「一部当たりの枚数指定」のボタンを押すと、「枚数指定」のＵＩ画面（図２３（ｂ））が表示される。「枚数指定」のＵＩ画面（図２３（ｂ））で一部当たりの枚数を設定する。本実施形態では、２０枚を設定するものとする。
【０１５４】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【０１５５】
ステップＳ２７０７において、ステップＳ２７０２で設定した給紙段からオフライン処理で使う用紙を給紙する。本実施形態では、「用紙設定（給紙）」のＵＩ画面（図２５（ｂ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１５６】
ステップＳ２７０８において、図４（ｂ）の中綴じ製本機２００−３ｃを使って、インサータにセットされた全ての用紙を使って、中綴じ製本を作成する。ステップＳ２７０９において、指定部数分作成されたかのチェックを行う。出力部数は、図２の制御部２０５に基づいて、ＲＡＭ２０８に格納されるものとする。指定部数分作成されている場合には、ステップＳ２７１０に進む。逆に、指定部数分作成されていない場合には、ステップＳ２７０７、ステップＳ２７０８、ステップＳ２７０９を再度繰り返す。
【０１５７】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定モード」を終了する。
【０１５８】
（第６の実施形態）
次に、図２６のフローチャートを用いて、第６の実施形態について説明する。第６の実施形態は、第１の実施形態で説明した図６のフローチャートの他の実施形態であり、「オフライン処理６」と呼ぶものとする。
【０１５９】
ステップＳ４５００において、当該処理系を開始する。ステップＳ４５０１において、オフライン処理６（マニュアルモード用のＵＩ）のＵＩ画面（図２７）を表示する。「オフライン処理６」のＵＩ画面（図２７）には「後処理設定」と「部数指定」と「一部当たりの枚数指定」と「用紙設定」のボタンが表示されている。オフライン用のＵＩ画面（図２７）の中にある「用紙設定」ボタンを押すと、「用紙設定（給紙）」のＵＩ画面（図２５（ｂ））に切り替わる。
【０１６０】
ステップＳ４５０２において、「用紙設定（給紙）」のＵＩ画面（図２５（ｂ））で、オフライン処理６」で用いる用紙情報の設定を行う。「用紙設定（給紙）」のＵＩ画面（図２５（ｂ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１６１】
そして、「用紙設定（給紙）」のＵＩ画面（図２５（ｂ））の中の「インサータ」ボタンを押すと、「用紙設定（タイプ・サイズ）」のＵＩ画面（図２５（ｃ））に切り替わる。「用紙設定（タイプ・サイズ）」のＵＩ画面（図２５（ｃ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【０１６２】
ステップＳ４５０３において、「用紙設定」のＵＩ画面（図２５（ｂ））を介して受け付けた用紙設定に基づいて、後処理に制限のない特定メディアが設定されたか否かを判定する。これは、メディアの種類によっては、後処理が制限される場合があるためである。「用紙設定」のＵＩ画面（図２５（ｃ））で予め決められていない用紙情報（非特定メディア）が設定されたなら、ステップＳ４５０４の「使いきりモード」に進む。ステップＳ４５０４の「使いきりモード」についての詳細は、図１６のフローチャートを用いて説明する。逆に、「用紙設定」のＵＩ画面（図２５（ｃ））で用紙情報（特定メディア）の設定がされた場合には、ステップＳ４５０５の「枚数指定モード」に進む。なお、ステップＳ４５０５の「枚数指定モード」の詳細については、図１７のフローチャートを用いて説明する。ステップＳ４５０６において、当該処理の「オフライン処理６」を終了する。
【０１６３】
次に、図１６のフローチャートを用いて、「使いきりモード」について説明する。ステップＳ２６００において、「使いきりモード」（第１モード）の処理系を開始する。ステップＳ２６０１において、「オフライン処理モード６」のＵＩ画面（図２７）を表示する。
【０１６４】
ステップＳ２６０２において、「オフライン処理モード６」のＵＩ画面（図２７）には「後処理設定」のボタンが表示されている。「オフライン処理モード６」のＵＩ画面（図２７）の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１６５】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１６６】
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【０１６７】
ステップＳ２６０５において、ステップＳ２６０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１６８】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の使いきりモードを終了する。
【０１６９】
次に、図１７のフローチャートを用いて、枚数指定モードについて説明する。ステップＳ２７００において、「枚数指定モード６」の処理系を開始する。ステップＳ２７０１において、「オフライン処理モード６」のＵＩ画面（図２７）を表示させる。
【０１７０】
ステップＳ２７０２において、「オフライン処理モード６」のＵＩ画面（図２７）には「後処理設定」と「部数指定」と「一部当たりの枚数指定」と「用紙設定」のボタンが表示されている。この中から「オフライン処理モード６」のＵＩ画面（図２７）の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【０１７１】
そして、「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、図２４のフローチャートのＳ４１０２において、既に用紙情報の設定を行っているので、既に用紙の情報はセットされている。
【０１７２】
ステップＳ２７０３において、当該オフライン処理で印刷物（中綴じ製本）を何部作成するかを設定する。そこで、「オフライン処理モード６」のＵＩ画面（図２７）の中から「部数指定」を選択し、「部数指定」のボタンを押すと、「部数指定（枚数指定モード）」のＵＩ画面（図２１（ｂ））が表示される。「部数指定（枚数指定モード）」のＵＩ画面（図２１（ｂ））で部数を設定する。本実施形態では、１０部に設定するものとする。
【０１７３】
ステップＳ２７０４において、当該オフライン処理で印刷物（中綴じ製本）の本文の枚数を設定する。そこで、「オフライン処理６」のＵＩ画面（図２７）の中から「一部当たりの枚数指定」を選択し、「一部当たりの枚数指定」のボタンを押すと、「枚数指定（枚数指定モード）」のＵＩ画面（図２１（ｃ））が表示される。「枚数指定（枚数指定モード）」のＵＩ画面（図２１（ｃ）で一部当たりの枚数を設定する。本実施形態では、２０枚を設定するものとする。
【０１７４】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【０１７５】
ステップＳ２７０７において、ステップＳ２７０２で設定した給紙段からオフライン処理で使う用紙を給紙する。本実施形態では、「用紙設定（給紙）」のＵＩ画面（図２５（ｂ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１７６】
ステップＳ２７０８において、図４（ｂ）の中綴じ製本機２００−３ｃを使って、インサータにセットされた全ての用紙を使って、中綴じ製本を作成する。ステップＳ２７０９において、指定部数分作成されたかのチェックを行う。出力部数は、図２の制御部２０５に基づいて、ＲＡＭ２０８に格納されるものとする。指定部数分作成されている場合には、ステップＳ２７１０に進む。逆に、指定部数分作成されていない場合には、ステップＳ２７０７、ステップＳ２７０８、ステップＳ２７０９を再度繰り返す。
【０１７７】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定モード」を終了する。
【０１７８】
（第７の実施形態）
次に、図２８のフローチャートを用いて、第７の実施形態について説明する。第７の実施形態は、第１の実施形態で説明した図６のフローチャートの他の実施形態であり、「オフライン処理７」と呼ぶものとする。
【０１７９】
ステップＳ４７００において、当該処理系を開始する。ステップＳ４７０１において、オフライン処理７（マニュアルモード用のＵＩ）のＵＩ画面（図２９）を表示する。そして、「オフライン処理７」のＵＩ画面（図２９）には「後処理設定」と「部数指定」と「一部当たりの枚数指定」のボタンが表示されている。
【０１８０】
ステップＳ４７０２において、オフライン用のＵＩ画面（図２９）の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１８１】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１８２】
ステップＳ４７０３において、ステップＳ４７０２の「後処理設定」のＵＩ画面（図１０（ａ））を介して受け付けた後処理の種類が特定種類（第１種類）である後処理が指定されたか否かを判定する。ここでは、後処理の種類に応じて、「オフライン処理」を「使いきりモード」または「枚数指定モード」に設定する。つまり、後処理装置２００の構造的な制約等により一意に「使いきりモード」または「枚数指定モード」に決定できる。
【０１８３】
「後処理設定」のＵＩ画面（図１０（ａ））で予め決められていない種類（第２種類）の後処理が指定されたなら、ステップＳ４７０４の「使いきりモード」に進む。第２種類の後処理とは、例えば、印刷物の一部当たりの後処理の許容枚数が少ないような後処理が該当する。ステップＳ４７０４の「使いきりモード」についての詳細は、図１６のフローチャートを用いて説明する。逆に、「後処理設定」のＵＩ画面（図１０（ａ））で特定の後処理が設定された場合には、ステップＳ４７０５の「枚数指定モード」に進む。なお、ステップＳ４７０５の「枚数指定モード」の詳細については、図１７のフローチャートを用いて説明する。ステップＳ４７０６において、当該処理のオフライン処理７を終了する。
【０１８４】
次に、図１６のフローチャートを用いて、使いきりモードについて説明する。ステップＳ２６００において、「使いきりモード」の処理系を開始する。ステップＳ２６０１において、「オフライン処理モード７」のＵＩ画面（図２９）が表示されている。
【０１８５】
ステップＳ２６０２において、使いきりモードで用いる「後処理設定」を行う。そして、「オフライン処理モード７」のＵＩ画面（図２９）には「後処理設定」のボタンが表示されている。「オフライン処理モード７」のＵＩ画面（図２９）の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【０１８６】
そして、「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０１８７】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている）。
【０１８８】
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【０１８９】
ステップＳ２６０５において、ステップＳ２６０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１９０】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の「使いきりモード」を終了する。
【０１９１】
次に、図１７のフローチャートを用いて、「枚数指定モード」について説明する。ステップＳ２７００において、「枚数指定モード」の処理系を開始する。ステップＳ２７０１において、「オフライン処理モード７」のＵＩ画面（図２９）を表示させる。
【０１９２】
ステップＳ２７０２において、「オフライン処理モード７」のＵＩ画面（図２９）には「後処理設定」と「部数指定」と「一部当たりの枚数指定」のボタンが表示されている。この中から「オフライン処理モード７」のＵＩ画面（図２９）の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。ここでは既に図２８のフローチャートのステップＳ４７０２で「中綴じ製本処理」に設定されている。
【０１９３】
ステップＳ２７０３において、当該オフライン処理で印刷物（中綴じ製本）を何部作成するかを取得する。そこで、「枚数指定モード」のＵＩ画面（図１９（ａ））の中から「部数指定」を選択し、「部数指定」のボタンを押すと、「部数指定（枚数指定モード）」のＵＩ画面（図１９（ｂ））が表示される。「部数指定（枚数指定モード）」のＵＩ画面（図１９（ｂ））で部数を設定する。本実施形態では、１０部に設定するものとする。
【０１９４】
ステップＳ２７０４において、当該オフライン処理で印刷物（中綴じ製本）の本文の枚数を設定する。そこで、「枚数指定モード」のＵＩ画面（図１９（ａ））の中から「一部当たりの枚数指定」を選択し、「一部当たりの枚数指定」のボタンを押すと、「枚数指定（枚数指定モード）」のＵＩ画面（図１９（ｃ））が表示される。「枚数指定（枚数指定モード）」のＵＩ画面（図１９（ｃ））で印刷物の枚数を設定する。本実施形態では、２０枚を設定するものとする。
【０１９５】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【０１９６】
ステップＳ２７０７において、ステップＳ２７０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０１９７】
ステップＳ２７０８において、図４（ｂ）の中綴じ製本機２００−３ｃを使って、インサータにセットされた全ての用紙を使って、中綴じ製本を作成する。ステップＳ２７０９において、指定部数分作成されたかのチェックを行う。出力部数は、図２の制御部２０５に基づいて、ＲＡＭ２０８に格納されるものとする。指定部数分作成されている場合には、ステップＳ２７１０に進む。逆に、指定部数分作成されていない場合には、ステップＳ２７０７、ステップＳ２７０８、ステップＳ２７０９を再度繰り返す。
【０１９８】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定モード」を終了する。
【０１９９】
（第８の実施形態）
次に、図３０のフローチャートを用いて、第８の実施形態について説明する。第８の実施形態は、第１の実施形態で説明した図６のフローチャートの他の実施形態であり、「オフライン処理８」と呼ぶものとする。
【０２００】
ステップＳ４９００において、当該処理系を開始する。ステップＳ４９０１において、オフライン処理８（マニュアルモード用のＵＩ）のＵＩ画面（図３１（ａ））を表示する。そして、オフライン処理８のＵＩ画面（図３１（ａ））には「後処理設定」と「部数指定」と「一部当たりの枚数指定」と「用紙設定」のボタンが表示されている。オフライン用のＵＩ画面（図３１（ａ））の中にある「用紙設定」ボタンを押すと、「用紙設定（給紙）」のＵＩ画面（図３１（ｂ））に切り替わる。
【０２０１】
ステップＳ４９０２において、「用紙設定（給紙）」のＵＩ画面（図３１（ｂ））を介して、「オフライン処理８」で用いる用紙情報の設定を受け付ける。「用紙設定（給紙）」のＵＩ画面（図３１（ｂ））では、オフライン印刷用の用紙を給紙するための給紙段の設定を行う。本実施形態では、「インサータ１」、「ペーパーデッキ」、「カセット１」、「カセット２」、「カセット３」、「カセット４」、「インサータ２」、「インサータ３」が設定できるものとし、本実施形態では、「インサータ１」を選択するものとする。
【０２０２】
そして、「用紙設定（給紙）」のＵＩ画面（図３１（ｂ））の中の「インサータ１」ボタンを押すと、「用紙設定（タイプ・サイズ）」のＵＩ画面（図２５（ｃ））に切り替わる。「用紙設定（タイプ・サイズ）」のＵＩ画面（図２５（ｃ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。
【０２０３】
ステップＳ４９０３において、ステップＳ４９０２の「用紙設定」のＵＩ画面（図３１（ｂ））を介して受け付けた給紙段設定に基づいて、設定された給紙段が後処理が可能である特定の給紙段であるか否かを判定する。つまり、設定された給紙段が、第２の後処理を実行する後処理装置に印刷済みメディアを供給可能な特定の供給源（第２の供給源）であるか否かを判定する。なぜならば、インサータによっては、特定の後処理にしか使えなかったり、１つの給紙段しか備えていなかったり、複数の給紙段を備えていたり、製品によって様々であるためである。よって、予め指定したインサータによって、後処理の処理方法を決めておくことができる。「用紙設定」のＵＩ画面（図３１（ｂ））で予め決められていない給紙段の情報（供給源指定情報）が設定されたなら、ステップＳ４９０４の「使いきりモード」に進む。つまり、設定された給紙段が、第１の後処理を実行する後処理装置に印刷済みメディアを供給可能な供給源（第１の供給源）が設定された場合にＳ４９０４に進む。ステップＳ４９０４の「使いきりモード」についての詳細は、図１６のフローチャートを用いて説明する。逆に、「用紙設定」のＵＩ画面（図３１（ｂ））で予め決められた給紙段情報の設定がされた場合には、ステップＳ４９０５の「枚数指定モード」に進む。なお、ステップＳ４９０５の「枚数指定モード」の詳細については、図１７のフローチャートを用いて説明する。ステップＳ４９０６において、当該処理のオフライン処理８を終了する。
【０２０４】
次に、図１６のフローチャートを用いて、使いきりモードについて説明する。ステップＳ２６００において、「使いきりモード」（第１モード）の処理系を開始する。ステップＳ２６０１において、「オフライン処理モード８」のＵＩ画面（図３１（ａ））を表示する。
【０２０５】
ステップＳ２６０２において、「オフライン処理モード８」のＵＩ画面（図３１（ａ））には「後処理設定」のボタンが表示されている。「オフライン処理モード８」のＵＩ画面（図３１（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。本実施形態では、中綴じ製本処理を行うものとし、ここでは中綴じ製本処理を選択するものとする。
【０２０６】
そして、「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、「インサータ」、「ペーパーデッキ」、「カセット１」、「カセット２」、「カセット３」、「カセット４」が設定できるものとし、本実施形態では、「インサータ」を選択するものとする。
【０２０７】
そして、「中綴じ製本処理（本文設定）」のＵＩ画面（図１４（ａ））の中の「インサータ」ボタンを押すと、「用紙設定（本文設定）」のＵＩ画面（図１１（ｂ））に切り替わる。「用紙設定（本文設定）」のＵＩ画面（図１１（ｂ））では、オフライン印刷で給紙する用紙のタイプと用紙のサイズを設定する。用紙のタイプとは、「普通紙」、「厚紙」などを示す。また、用紙のサイズとは、「Ａ４」、「Ａ３」などのサイズを示す。本実施形態では、用紙タイプを「普通紙」に、用紙サイズを「Ａ３」に設定する。次に、「中綴じ製本処理」のＵＩ画面（図１３（ｂ））の中から「表紙設定」を選択し、「表紙設定」ボタンを押すと、「中綴じ製本処理（表紙設定）」のＵＩ画面（図１４（ｂ））に切り替わる。「中綴じ製本処理（表紙設定）」のＵＩ画面（図１４（ｂ））では、表紙に使うためのオフライン印刷用の用紙を給紙するための給紙段の設定を行う。本実施形態では、「インサータ」、「ペーパーデッキ」、「カセット１」、「カセット２」、「カセット３」、「カセット４」が設定できるものとする。ただし、本実施形態では、「表紙」は使わないものとする（図１３（ｂ）の「表紙設定」は白抜きになっている。）
ステップＳ２６０３において、このジョブの情報をオフライン後処理ジョブの情報として管理する。図２の制御部２０５に基づいて、ＲＡＭ２０８に格納されるものとする。ステップＳ２６０４において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２６０５に進む。逆に、ジョブ実行指示を受け付けていない場合には、ステップＳ２６０４を再度繰り返す。
【０２０８】
ステップＳ２６０５において、ステップＳ２６０２で設定した給紙段からオフライン処理で使う用紙を給紙する。本実施形態では、「中綴じ製本処理（本文設定）」のＵＩ画面（図１４（ａ））で設定した給紙段は「インサータ」である。そこで、オフライン用の用紙を、図４（ｂ）の中綴じ製本機２００−３ｃの上部に装着されている「インサータ」から中綴じ製本機２００−３ｃに給紙する。
【０２０９】
ステップＳ２６０６において、図４（ｂ）の中綴じ製本機２００−３ｃを使って、インサータにセットされた全ての用紙を使って、中綴じ製本を作成する。ステップＳ２６０７において、ステップＳ２６０４で設定した情報を、図２の制御部２０５に基づいて、ＲＡＭ２０８に格納された当該ジョブの管理情報を更新する。ステップＳ２６０８において、当該処理の使いきりモードを終了する。
【０２１０】
次に、図１７のフローチャートを用いて、枚数指定モードについて説明する。ステップＳ２７００において、「枚数指定モード」の処理系を開始する。ステップＳ２７０１において、「オフライン処理モード８」のＵＩ画面（図３１（ａ））を表示させる。
【０２１１】
ステップＳ２７０２において、「オフライン処理モード８」のＵＩ画面（図３１（ａ））には「後処理設定」と「部数指定」と「一部当たりの枚数指定」と「用紙設定」のボタンが表示されている。この中から「オフライン処理モード８」のＵＩ画面（図３１（ａ））の中にある「後処理設定」ボタンを押すと、「後処理設定」のＵＩ画面（図１０（ａ））に切り替わる。「後処理設定」のＵＩ画面（図１０（ａ））には複数種類の後処理が表示されている。「後処理設定」のＵＩ画面（図１０（ａ））に表示されている複数種類の後処理の中から「中綴じ製本処理」を選択し、「中綴じ製本処理」ボタンを押すと、「中綴じ製本処理」のＵＩ画面（図１３（ｂ））に切り替わる。「中綴じ製本処理」のＵＩ画面（図１３（ｂ））の中には「本文設定」と「表紙設定」を選択するためのボタンが表示されている。まず、「中綴じ製本処理」のＵＩ画面（図１３（ｂ））の中から「本文設定」を選択し、「本文設定」ボタンを押すと、「中綴じ製本処理（本文設定）」のＵＩ画面（図１４（ａ））に切り替わる。「中綴じ製本処理（本文設定）」のＵＩ画面（図１４（ａ））では、オフライン印刷用の用紙を給紙するための給紙段の設定を行う。本実施形態では、図３０のフローチャートのＳ４９０２において、既に用紙情報の設定を行っているので、既に用紙の情報はセットされている。
【０２１２】
ステップＳ２７０３において、当該オフライン処理で印刷物（中綴じ製本）を何部作成するかを設定する。そこで、「オフライン処理モード８」のＵＩ画面（図３１（ａ））の中から「部数指定」を選択し、「部数指定」のボタンを押すと、「部数指定（枚数指定モード）」のＵＩ画面（図１９（ｂ））が表示される。「部数指定（枚数指定モード）」のＵＩ画面（図１９（ｂ））で部数を設定する。本実施形態では、１０部に設定するものとする。
【０２１３】
ステップＳ２７０４において、当該オフライン処理で印刷物（中綴じ製本）の本文の枚数を設定する。そこで、「枚数指定モード」のＵＩ画面（図１９（ａ））の中から「一部当たりの枚数指定」を選択し、「一部当たりの枚数指定」のボタンを押すと、「枚数指定（枚数指定モード）」のＵＩ画面（図１９（ｃ））が表示される。「枚数指定（枚数指定モード）」のＵＩ画面（図１９（ｃ））で部数を設定する。本実施形態では、２０枚を設定するものとする。
【０２１４】
ステップＳ２７０５において、このジョブの情報をオフライン後処理ジョブの情報として管理する。図２の制御部２０５に基づいて、ＲＡＭ２０８に格納されるものとする。ステップＳ２７０６において、図２の制御部２０５はジョブ実行指示を受け付けたか否かを判定する。なお、ジョブ実行指示は図５（ａ）のスタートキー５００３を押すことで、可能となる。ジョブ実行指示を受け付けた場合には、ステップＳ２７０７に進む。逆に、ジョブ実行指示を受け付けていない場合には、ステップＳ２７０６を再度繰り返す。
【０２１５】
ステップＳ２７０７において、ステップＳ２７０２で設定した給紙段からオフライン処理で使う用紙を給紙する。本実施形態では、「用紙設定（給紙段）」のＵＩ画面（図３１（ｂ））で設定した給紙段は「インサータ１」である。そこで、オフライン用の用紙を、図４（ｂ）の中綴じ製本機２００−３ｃの上部に装着されている「インサータ」から中綴じ製本機２００−３ｃに給紙する。
【０２１６】
ステップＳ２７０８において、図４（ｂ）の中綴じ製本機２００−３ｃを使って、インサータにセットされた全ての用紙を使って、中綴じ製本を作成する。ステップＳ２７０９において、指定部数分作成されたかのチェックを行う。出力部数は、図２の制御部２０５に基づいて、ＲＡＭ２０８に格納されるものとする。指定部数分作成されている場合には、ステップＳ２７１０に進む。逆に、指定部数分作成されていない場合には、ステップＳ２７０７、ステップＳ２７０８、ステップＳ２７０９を再度繰り返す。
【０２１７】
ステップＳ２７１０において、ステップＳ２７０５で設定した情報を、図２の制御部２０５に基づいて、ＲＡＭ２０８に格納された当該ジョブの管理情報を更新する。ステップＳ２７１１において、当該処理の「枚数指定モード」を終了する。
【０２１８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005820113.tif 000002
【図２】
0005820113.tif 000003
【図３】
0005820113.tif 000004
【図４】
0005820113.tif 000005
【図５】
0005820113.tif 000006
【図６】
0005820113.tif 000007
【図７】
0005820113.tif 000008
【図８】
0005820113.tif 000009
【図９】
0005820113.tif 000010
【図１０】
0005820113.tif 000011
【図１１】
0005820113.tif 000012
【図１２】
0005820113.tif 000013
【図１３】
0005820113.tif 000014
【図１４】
0005820113.tif 000015
【図１５】
0005820113.tif 000016
【図１６】
0005820113.tif 000017
【図１７】
0005820113.tif 000018
【図１８】
0005820113.tif 000019
【図１９】
0005820113.tif 000020
【図２０】
0005820113.tif 000021
【図２１】
0005820113.tif 000022
【図２２】
0005820113.tif 000023
【図２３】
0005820113.tif 000024
【図２４】
0005820113.tif 000025
【図２５】
0005820113.tif 000026
【図２６】
0005820113.tif 000027
【図２７】
0005820113.tif 000028
【図２８】
0005820113.tif 000029
【図２９】
0005820113.tif 000030
【図３０】
0005820113.tif 000031
【図３１】
0005820113.tif 000032